(57)【要約】【課題】  ひとたび電池パックに蓄えた電力が不足しても、その後、動作することが可能な、電池パックとの接続端子を増加させずに認証を行う電子機器を提供する。【解決手段】  電源制御部３１は、電池パック１０が電子機器５０に接続されると、セル１から発生される電圧が第一電圧値以上か否かを判断する。この電圧が第一電圧値以上であると、本体側信号切換手段３６を認証情報処理部３４に接続させる。認証情報処理部３４は、認証制御部７から電池パックを特定するための識別子を受け付け、受け付けた識別子に基づいて、電池パック１０が正規の電池パックか否かを判断する。電池パック１０が正規の電池パックであると、本体側信号切換部３６を温度情報処理部３５に接続させる。【選択図】      図１
2006339070.tif 000002
【特許請求の範囲】
【請求項１】
電池パックと接続されると共に、該電池パックから供給される電力にて動作可能な電子機器であって、
前記電池パックから前記電池パックを特定するための識別子および前記電池パックの温度を示す温度情報を受け付ける情報端子と、
前記識別子に基づいて前記電池パックが正規の電池パックか否かを判断する認証手段と、
前記温度情報を受け付ける温度処理手段と、
前記電池パックにて発生される電圧が所定値以上か否かを判断し、前記電圧が前記所定値未満の場合には、前記電圧が前記所定値に達するまで前記電池パックを充電し、また、前記温度処理手段が前記温度情報を受け付けると、該受け付けられた温度情報に基づいて、前記電池パックの充電を制御する電源制御手段と、
前記電池パックにて発生される電圧が所定値以上であると、前記情報端子を前記認証手段に接続し、その後、前記電池パックが前記正規の電池パックであると前記認証手段が判断すると、前記情報端子を前記温度処理手段に接続する切換手段と、
を含む電子機器。
【請求項２】
請求項１に記載の電子機器において、
前記電源制御手段は、前記電池パックから供給される電力を前記電子機器の電源として用い、
前記認証手段にて前記電池パックが前記正規の電池パックでないと判断されると、前記電源制御手段に対する前記電力の供給を停止し、その後、所定の時間が経過すると、前記電源制御手段に前記電力の供給を開始する電源切換手段、
を含む電子機器。
【請求項３】
請求項１あるいは２に記載の電子機器において、
前記認証手段にて前記電池パックが前記正規の電池パックでないと判断された非認証回数が、所定の回数以上か否かを判断するリトライ制御手段、
をさらに含み、
前記認証手段は、
前記リトライ制御手段にて前記非認証回数が所定の回数以上でないと判断されると、前記電池パックが前記正規の電池パックか否かを改めて判断する、
電子機器。
【請求項４】
請求項１ないし３のいずれか１項に記載の電子機器において、
前記認証手段にて前記電池パックが前記正規の電池パックでないと判断されると、前記電池パックが前記正規の電池パックでない旨を報知する報知手段と、
をさらに含む電子機器。
【請求項５】
請求項１ないし４のいずれか１項に記載の電子機器と、前記電子機器と接続されると共に該電子機器に電力を供給可能な電池パックと、を含む電子機器システムであって、
前記電池パックは、
前記情報端子と接続されるパック側情報端子と、
前記識別子を出力するパック側認証手段と、
前記温度情報を出力する温度測定手段と、
前記電子機器と前記電池パックとが接続されると、前記パック側情報端子を前記パック側認証手段に接続し、その後、前記電池パックが前記正規の電池パックであると前記認証手段が判断すると、前記パック側情報端子を前記温度測定手段に接続するパック側切換手段と、
を含む電子機器システム。
【請求項６】
請求項１ないし４のいずれか１項に記載の電子機器と、前記電子機器と接続されると共に該電子機器に電力を供給可能な電池パックと、を含む電子機器システムであって、
前記電池パックは、
前記情報端子と接続されるパック側情報端子と、
前記識別子を出力するパック側認証手段と、
前記温度情報を出力する温度測定手段と、
前記電子機器と前記電池パックとが接続されると、前記パック側情報端子を前記パック側認証手段に接続し、その後、前記認証手段が前記識別子を出力すると、前記パック側情報端子を前記温度測定手段に接続するパック側切換手段と、
を含む電子機器システム。
【請求項７】
請求項６に記載の電子機器システムにおいて、
前記パック側切換手段は、
前記パック側認証手段が前記識別子を前記電子機器に出力した後、所定の時間が経過すると、前記パック側情報端子を前記温度処理手段に接続する、
電子機器システム。
【請求項８】
電池パックと接続されると共に、該電池パックから供給される電力にて動作可能であり、前記電池パックから前記電池パックを特定するための識別子および前記電池パックの温度を示す温度情報を受け付ける情報端子を含む電子機器の行う認証方法であって、
前記電池パックにて発生される電圧が所定値以上か否かを判断する電源制御ステップと、
前記電池パックにて発生される電圧が前記所定値未満の場合には、前記電圧が前記所定値に達するまで前記電池パックを充電する充電ステップと、
前記電池パックにて発生される電圧が所定値以上であると、前記情報端子から前記識別子を受け付け、受け付けた識別子に基づいて前記電池パックが正規の電池パックか否かを判断する認証ステップと、
前記認証ステップにて前記電池パックが前記正規の電池パックであると判断されると、前記情報端子から前記温度情報を受け付ける温度処理ステップと、
前記温度情報ステップにて温度情報が受け付けられると、該受け付けられた温度情報に基づいて、前記電池パックの充電を制御する充電制御ステップと、
を含む認証方法。
【請求項９】
請求項８に記載の認証方法であって、
前記認証ステップにて前記電池パックが前記正規の電池パックでないと判断されると、前記電池パックから供給される電力を前記電子機器の電源として用いることを停止し、その後、所定の時間が経過すると、前記電力を前記電子機器の電源として用いる電源切換ステップ、
を含む認証方法。
【請求項１０】
請求項８あるいは９に記載の認証方法において、
前記認証ステップにて前記電池パックが前記正規の電池パックでないと判断された非認証回数が、所定の回数以上か否かを判断するリトライ制御ステップ、
をさらに含み、
前記認証ステップでは、
前記リトライ制御ステップにて前記非認証回数が所定の回数以上でないと判断されると、前記電池パックが前記正規の電池パックか否かを改めて判断する、
認証方法。
【請求項１１】
請求項８ないし１０のいずれか１項に記載の認証方法において、
前記認証ステップにて前記電池パックが前記正規の電池パックでないと判断されると、前記電池パックが前記正規の電池パックでない旨を、前記ユーザに報知する報知ステップ、
を含む認証方法。
【請求項１２】
請求項１ないし４のいずれか１項に記載の電子機器と、前記電子機器と接続されると共に該電子機器に電力を供給可能な電池パックと、を含む電子機器システムが行う認証方法であって、
前記電子機器と前記電池パックが接続されると、前記電池パックが、前記識別子を出力するパック側認証ステップと、
前記電池パックが前記正規の電池パックであると前記電子機器にて判断されると、前記電池パックが、前記温度情報を前記電子機器に出力する温度測定ステップと、
を含む認証方法。
【請求項１３】
請求項１ないし４のいずれか１項に記載の電子機器と、前記電子機器と接続されると共に該電子機器に電力を供給可能な電池パックと、を含む電子機器システムを行う認証方法であって、
前記電子機器と前記電池パックが接続されると、前記電池パックが、前記識別子を出力するパック側認証ステップと、
前記パック側認証ステップにて前記識別子が出力されると、前記電池パックが、自己の温度を測定し、測定された温度を示す前記温度情報を前記電子機器に出力する温度測定ステップと、
を含む認証方法。
【請求項１４】
請求項１３に記載の認証方法において、
前記温度測定ステップでは、
前記パック側認証ステップにて前記識別子が出力された後、所定の時間が経過すると、前記電池パックが、自己の温度を測定し、測定された温度を示す前記温度情報を前記電子機器に出力する、
認証方法。
【発明の詳細な説明】
【技術分野】
【０００１】
本発明は、電池パックとの接続端子を増加させずに認証を行う電子機器、電子機器システムおよび認証方法に関する。
【背景技術】
【０００２】
電池パックを電源として動作可能な電子機器（例えば、携帯電話機）において、使用される電池パックが正規の電池パックか否かを判断する認証手段の備わった電子機器が提案されている。
【０００３】
従来、電池パックを電源として動作可能な電子機器は、電池パックから電力を受け付けるために正極端子と負極端子とを備えている。また、電池パックが充電可能な二次電池の場合、電子機器は、電池パックの温度に応じて充電を制御している。このため、電池パックにて測定された電池パックの温度を示す温度情報を受け付ける情報端子がさらに備えられている。
【０００４】
認証が行われるためには、認証情報の入出力を可能にする端子が、さらに電子機器および電池パックで必要となる。しかし、端子数が増加すると、接続方式を変更する必要があるため、コストがかかる。
【０００５】
例えば、特許文献１（特開２００４−３４９１０４号公報）には、端子数を増加させずに、認証を行うことが可能な電池パックが記載されている。この電池パックでは、温度情報を生成する温度測定手段と、認証情報を保持する認証手段と、のどちらか一方に接続するスイッチが備えられている。このスイッチが制御されることにより、温度情報と認証情報とが、同じ情報端子を介して電子機器に出力される。
【特許文献１】特開２００４−３４９１０４号公報
【発明の開示】
【発明が解決しようとする課題】
【０００６】
しかしながら、特許文献１に記載の電池パックでは、電池パックが電子機器に接続されるとすぐに認証を行う。電池パックが正規の電池パックであると、電池パックの充電が開始される。電池パックに蓄えられた電力が不足し、認証を行うのに十分な電力が供給されない場合、認証が行われない可能性がある。認証が行われないと、電池パックが正規の電池パックであっても、電池パックの充電が開始できない。このため、ひとたび電池パックに蓄えた電力が不足すると、その後、電池パックの充電ができないために、電子機器が動作できなくなる可能性がある。
【０００７】
本発明の目的は、ひとたび電池パックに蓄えた電力が不足しても、その後、動作することが可能な、電池パックとの接続端子を増加させずに認証を行う電子機器、電子機器システムおよび認証方法を提供することである。
【課題を解決するための手段】
【０００８】
前記目的を達成するために、本発明の電子機器は、電池パックと接続されると共に、該電池パックから供給される電力にて動作可能な電子機器であって、前記電池パックから前記電池パックを特定するための識別子および前記電池パックの温度を示す温度情報を受け付ける情報端子と、前記識別子に基づいて前記電池パックが正規の電池パックか否かを判断する認証手段と、前記温度情報を受け付ける温度処理手段と、前記電池パックにて発生される電圧が所定値以上か否かを判断し、前記電圧が前記所定値未満の場合には、前記電圧が前記所定値に達するまで前記電池パックを充電し、また、前記温度処理手段が前記温度情報を受け付けると、該受け付けられた温度情報に基づいて、前記電池パックの充電を制御する電源制御手段と、前記電池パックにて発生される電圧が所定値以上であると、前記情報端子を前記認証手段に接続し、その後、前記電池パックが前記正規の電池パックであると前記認証手段が判断すると、前記情報端子を前記温度処理手段に接続する切換手段と、を含む。
【０００９】
また、本発明の認証方法は、電池パックと接続されると共に、該電池パックから供給される電力にて動作可能であり、前記電池パックから前記電池パックを特定するための識別子および前記電池パックの温度を示す温度情報を受け付ける情報端子、を含む電子機器の行う認証方法であって、前記電池パックにて発生される電圧が所定値以上か否かを判断する電源制御ステップと、前記電池パックにて発生される電圧が前記所定値未満の場合には、前記電圧が前記所定値に達するまで前記電池パックを充電する充電ステップと、前記電池パックにて発生される電圧が所定値以上であると、前記情報端子から前記識別子を受け付け、受け付けた識別子に基づいて前記電池パックが正規の電池パックか否かを判断する認証ステップと、前記認証ステップにて前記電池パックが前記正規の電池パックであると判断されると、前記情報端子から前記温度情報を受け付ける温度処理ステップと、前記温度情報ステップにて温度情報が受け付けられると、該受け付けられた温度情報に基づいて、前記電池パックの充電を制御する充電制御ステップと、を含む。
【００１０】
前記発明によれば、電池パックにて発生される電圧が所定値未満であると、電圧が所定値に達するまで電池パックが充電され、その後、電池パックが正規の電池パックであるか否かが判断される。正規の電池パックであると判断されると、充電が制御される。これにより、電池パックが正規の電池パックか否かの認証が、認証を行うのに十分な電力が供給された後に行うことができる。したがって、ひとたび電池パックの電力が不足しても、その後、動作することが可能になる。
【００１１】
また、前記電池パックから供給される電力を前記電子機器の電源として用いることを停止し、その後、所定の時間が経過すると、前記電力を前記電子機器の電源として用いることが望ましい。
【００１２】
前記発明によれば、電池パックが正規の電池パックでないと、電子機器が使用できなくなる。所定の時間が経過すると、電力が供給されるので、電子機器が使用できない状態の間に電池パックが正規の電池パックと交換されれば、電子機器を使用することが可能になる。
【００１３】
また、前記電池パックが前記正規の電池パックでないと判断された非認証回数が所定の回数以上か否かが判断され、前記非認証回数が所定の回数以上でないと判断されると、前記電池パックが前記正規の電池パックか否かを改めて判断することが望ましい。
【００１４】
前記発明によれば、非認証回数が所定の回数以上でないと、電池パックが正規の電池パックか否かが改めて判断される。これにより、電池パックが正規の電池パックでないと誤って判断された場合でも、認証を正しく行うことが可能になる。
【００１５】
また、前記電池パックが前記正規の電池パックでないと判断されると、前記電池パックが前記正規の電池パックでない旨を報知することが望ましい。
【００１６】
前記発明によれば、電池パックが正規の電池パックでない旨が報知される。これにより、ユーザは、接続された電池パックが正規の電池パックでないことを知ることが可能になる
また、本発明に電子機器システムは、前記電子機器と、前記電子機器と接続されると共に該電子機器に電力を供給可能な電池パックと、を含む電子機器システムであって、前記電池パックは、前記情報端子と接続されるパック側情報端子と、前記識別子を出力するパック側認証手段と、前記温度情報を出力する温度測定手段と、前記電子機器と前記電池パックとが接続されると、前記パック側情報端子を前記パック側認証手段に接続し、その後、前記電池パックが前記正規の電池パックであると前記認証手段が判断すると、前記パック側情報端子を前記温度測定手段に接続するパック側切換手段と、を含む。
【００１７】
また、本発明の認証方法は、前記電子機器と、前記電子機器と接続されると共に該電子機器に電力を供給可能な電池パックと、を含む電子機器システムが行う認証方法であって、前記電子機器と前記電池パックが接続されると、前記電池パックが、前記識別子を出力するパック側認証ステップと、前記電池パックが前記正規の電池パックであると前記電子機器にて判断されると、前記電池パックが、前記温度情報を前記電子機器に出力する温度測定ステップと、を含むことが望ましい。
【００１８】
前記発明によれば、電池パックと電子機器が接続されると、識別子が出力され、その後、電池パックが正規の電池パックであると判断されると、温度情報が出力される。これにより、電子機器は、温度情報を受け付けると、受け付けた温度情報に基づいて、電池パックの充電を制御するので、電池パックが正規の電池パックであると、電池パックを充電することが可能になる。
【００１９】
また、本発明に電子機器システムは、前記電子機器と、前記電子機器と接続されると共に該電子機器に電力を供給可能な電池パックと、を含む電子機器システムであって、前記電池パックは、前記情報端子と接続されるパック側情報端子と、前記識別子を出力するパック側認証手段と、前記温度情報を出力する温度測定手段と、前記電子機器と前記電池パックとが接続されると、前記パック側情報端子を前記パック側認証手段に接続し、その後、前記認証手段が前記識別子を出力すると、前記パック側情報端子を前記温度測定手段に接続するパック側切換手段と、を含む。
【００２０】
また、本発明の認証方法は、前記電子機器と、前記電子機器と接続されると共に該電子機器に電力を供給可能な電池パックと、を含む電子機器システムが行う認証方法であって、前記電子機器と前記電池パックが接続されると、前記電池パックが、前記識別子を出力するパック側認証ステップと、前記パック側認証ステップにて前記識別子が出力されると、前記電池パックが、自己の温度を測定し、測定された温度を示す前記温度情報を前記電子機器に出力する温度測定ステップと、を含む。
【００２１】
前記発明によれば、識別子が出力されると、その後、温度情報が出力される。これにより、電子機器は、温度情報に基づいて、電池パックの充電を制御するので、電池パックが正規の電池パックであると、電池パックを充電することが可能になる。
【００２２】
また、前記識別子が前記電子機器に出力された後、所定の時間が経過すると、前記温度情報を出力することが望ましい。
【００２３】
前記発明によれば、前記識別子が前記電子機器に出力された後、所定の時間が経過すると、前記温度情報を出力する。識別子が出力した後、すぐに温度情報を出力すると、電子機器は、例えば、電池パックが正規の電池パックか否かを判断している間など、電池パックの充電を温度情報に基づいて制御する前に、温度情報を受け付けることになる。つまり、電子機器に余計な負荷がかかる。よって、識別子が出力され、所定の時間が経過した後、温度情報を出力することにより、電子機器にかかる負荷を軽減することが可能になる。
【発明の効果】
【００２４】
本発明によれば、電池パックとの接続端子を増加させずに認証を行う電子機器において、ひとたび電池パックに蓄えた電力が不足しても、その後、動作することが可能になる。
【発明を実施するための最良の形態】
【００２５】
以下、本発明の実施例について図面を参照して説明する。
【００２６】
図１は、本発明の電子機器システムの実施例を示したブロック図である。
【００２７】
図１において、電子機器システムは、電池パック１０と電子機器５０とを含む。
【００２８】
電池パック１０は、電子機器５０の電源であり、電子機器５０に電力を供給する。
【００２９】
電子機器５０は、電池パック１０から供給される電力にて動作する。
【００３０】
電池パック１０は、セル１と、保護回路２と、充放電切換部３と、温度センサ部４と、パック側認証部５と、パック側信号切換部６と、パック側正極端子２１Ａと、パック側情報端子２２Ａと、パック側負極端子２３Ａとを含む。
【００３１】
セル１は、電圧源であり、図示していない充電器から電力が供給され、供給された電力を蓄える。
【００３２】
保護回路２は、例えば、過放電、過充電あるいは過電圧による、過度な負荷からセル１および電子機器５０を保護するための回路である。
【００３３】
また、保護回路２は、充放電切換部３を制御する。
【００３４】
充放電切換部３は、保護回路２にて制御され、セル１の充電と放電との切り換えを行う。
【００３５】
パック側正極端子２１Ａは、セル１の正極および本体側正極端子２１Ｂと接続される。
【００３６】
パック側負極端子２３Ａは、セル１の負極および本体側負極端子２３Ｂと接続される。
【００３７】
パック側正極端子２１Ａと本体側正極端子２１Ｂとが接続され、さらに、パック側負極端子２３Ａと本体側負極端子２３Ｂとが接続されると、電池パック１０（具体的には、セル１）は、電子機器５０に電力を供給する。
【００３８】
パック側情報端子２２Ａは、本体側情報端子２２Ｂおよびパック側信号切換部６と接続され、電池パック１０と電子機器５０と間で情報の入出力を行う。
【００３９】
パック側認証部５は、認証制御部７を含む。
【００４０】
認証制御部７は、電池パック１０を特定するための識別子を保持し、電子機器５０から識別子を取得する旨の識別子取得要求を受け付けると、保持している識別子を、パック側信号切換部６およびパック側情報端子２２Ａを介して電子機器５０に出力する。
【００４１】
認証制御部７は、パック側信号切換部６を制御する。
【００４２】
パック側認証切換部６は、認証制御部７にて制御され、パック側情報端子２２Ａを温度センサ部４とパック側認証部５（具体的には、認証制御部７）とのどちらか一方に接続する。
【００４３】
認証制御部７は、電池パック１０が電子機器５０に接続されると、その接続を検知し、パック側信号切換部６を制御して、パック側情報端子２２Ａを自己（認証制御部７）に接続させる。
【００４４】
認証制御部７は、電子機器５０に出力した識別子の認証が完了した旨の認証完了情報を受け付けると、パック側信号切換部６を制御して、パック側情報端子２２Ａを温度センサ部４に接続させる。
【００４５】
温度センサ部４は、例えば、サーミスタであり、電池パック１０の温度を検知し、検知した温度を示す温度情報を、パック側信号切換部６およびパック側情報端子２２Ａを介して電子機器５０に出力する。
【００４６】
電子機器５０は、本体側正極端子２１Ｂと、本体側情報端子２２Ｂと、本体側負極端子２３Ｂと、電源制御部３１と、機能制御部３２と、本体側認証部３３と、本体側信号切換部３６と、駆動制御部３７と、報知部６０とを含む。
【００４７】
電源制御部３１は、電子パック１０からの電力を電子機器５０内の機器に供給する。
【００４８】
本体側正極端子２１Ｂは、パック側正極端子２１Ａと接続される。
【００４９】
本体側負極端子２１Ｂは、パック側負極端子２３Ａと接続される。
【００５０】
本体側情報端子２２Ｂは、パック側情報端子２２Ａおよび本体側信号切換部３６と接続され、電池パック１０と電子機器５０と間で情報の入出力を行う。
【００５１】
電源制御部３１は、セル１から電力の供給が開始されると、セル１が発生する電圧が第一電圧値以上か否かを判断する。
【００５２】
第一電圧値は、電池パック１０が正規の電池パックか否かを判断することが可能な最低の電圧値である。
【００５３】
セル１が発生する電圧が第一電圧値以上の場合、電源制御部３１は、電池パック１０が電子機器５０に接続されたことを検知し、接続検知情報を本体側認証部３３（具体的には、認証情報処理部３４）に出力する。
【００５４】
一方、セル１が発生する電圧が第一電圧値以上でない場合、電源制御部３１は、セル１が充電され、セル１から発生される電圧が第一電圧値以上になるまで待機する。具体的には、電池パック１０が充電器に接続されると、セル１にて発生される電圧が第一電圧値以上になるまで充電する。その後、セル１から供給される電圧が第一電圧値以上になると、電池パック１０が電子機器５０に接続されたことを検知し、接続検知情報を本体側認証部３３（具体的には、認証情報処理部３４）に出力する。
【００５５】
本体側認証部３３は、認証情報処理部３４と温度情報処理部３５とを含む。
【００５６】
認証情報処理部３４は、本体側信号切換部３６を制御する。
【００５７】
本体側信号切換部３６は、認証情報処理部３４にて制御され、本体側情報端子２２Ｂを温度情報処理部３５と認証情報処理部３４とのどちらか一方に接続する。
【００５８】
認証情報処理部３４は、電源制御部３１から接続検知情報を受け付けると、本体側信号切換部３６を制御して、本体側情報端子を自己（認証情報処理部３４）に接続させ、電池パック１０の識別子を取得する旨の識別子取得要求を、本体側信号切換部３６および本体側情報端子２２Ｂを介して、電池パック１０に出力する。
【００５９】
このとき、パック側信号切換部６は、パック側情報端子２２Ａと認証制御部７とを接続しているため、認証制御部７が識別子取得要求を受け付ける。
【００６０】
認証情報処理部３４は、認証制御部７から電池パック１０の識別子を受け付けると、受け付けた識別子に基づいて、電池パック１０が正規の電池パックか否かを判断する。
【００６１】
具体的には、認証情報処理部３４は、正規の電池パックを示す識別子を保持し、認証制御部７から受け付けた識別子と、保持している識別子と、が一致しているか否かを判断する。これらの識別子が一致していると、認証情報処理部３４は、電池パック１０が正規の電池パックであると判断する。一方、これらの識別子が一致していないと、認証情報処理部３４は、電池パック１０が正規の電池パックでないと判断する。
【００６２】
以下では、先ず、電池パック１０が正規の電池パックであると判断された場合を説明し、次に、電池パック１０が正規の電池パックでないと判断された場合を説明する。
【００６３】
電池パック１０が正規の電池パックであると判断された場合、認証情報処理部３４は、認証制御部７に認証が完了した旨の認証完了情報を出力する。
【００６４】
また、認証情報処理部３４は、電源制御部３１に電源パック１０（具体的には、セル１）の充電許可を示す充電許可情報を出力する。
【００６５】
認証情報処理部３４は、充電許可情報を出力すると、本体側信号切換部３６を温度情報処理部３５に接続させる。
【００６６】
電源制御部３１は、認証情報処理部３４から充電許可情報を受け付けると、電池パック１０が充電器と接続されているか否かを判断する。
【００６７】
電池パック１０が充電器と接続されている場合、温度情報処理部３５は、温度センサ部４から温度情報を受け付け、受け付けた温度情報を電源制御部３１に出力する。
【００６８】
なお、温度センサ部４から受け付けた温度情報がアナログ情報の場合、温度情報処理部３５は、アナログ情報をデジタル情報に変換し、温度情報をデジタル情報として電源制御部３１に出力しても良い。
【００６９】
電源制御部３１は、温度情報処理部３５から温度情報を受け付け、受け付けた温度情報にて示される温度が所定の範囲に含まれるか否かを判断する。
【００７０】
その温度が所定の範囲に含まれると判断された場合、電源制御部３１は、充電器からセル１への充電を開始し、温度が所定の範囲に含まれると判断されている間は、充電を続ける。
【００７１】
一方、その温度が所定の範囲に含まれないと判断された場合、電源制御部３１は、充電器からセル１への充電を停止し、温度が所定の範囲に含まれると判断されるまで充電の停止を続ける。
【００７２】
一方、電池パック１０が充電器と接続されていない場合、電源制御部３１は、セル１にて発生される電圧が第二電圧値以上か否かを判断する。
【００７３】
第二電圧値は、電子機器５０が正常な動作を行うことが可能な最低の電圧値である。
【００７４】
なお、第二電圧値は、第一電圧値と同程度の値である。
【００７５】
セル１にて発生する電圧が第二電圧値以上であると判断された場合、電源制御部３１は、セル１にて発生される電圧が第二電圧値以上である旨の電圧正常情報を機能制御部３２に出力する。
【００７６】
駆動制御部３７は、報知部６０の動作を制御する。
【００７７】
報知部６０は、各種情報をユーザに報知する。
【００７８】
報知部６０は、発光部４１とバイブモータ４２とスピーカ４３と表示部４４とを含む。
【００７９】
発光部４１は、例えば、発光ダイオード（Light Emitting Diode）である。
【００８０】
バイブモータ４２は、電子機器５０を振動させるモータである。
【００８１】
スピーカ４３は、外部に音を発する。
【００８２】
表示部４４は、例えば、液晶型ディスプレイあり、各種情報を表示する。
【００８３】
機能制御部３２は、電源制御部３１から電圧正常情報を受け付けると、表示部４４にユーザにて設定された待ち受け画面を表示させる旨の通常表示要求を、駆動制御部３７に出力する。
【００８４】
駆動制御部３７は、機能制御部３２から通常表示要求を受け付けると、ユーザにて設定された待ち受け画面を、表示部４４に表示させる。
【００８５】
一方、セル１にて発生する電圧が第二電圧値以上でないと判断された場合、セル１にて発生される電圧が第二電圧値以上でない旨の電圧降下情報を、機能制御部３２に出力する。
【００８６】
機能制御部３２は、電源制御部３１から電圧降下情報を受け付け、受け付けた電圧降下情報を駆動制御部３７に出力する。
【００８７】
駆動制御部３７は、機能制御部３２から電圧降下情報を受け付けると、例えば、スピーカ４３に警告音を発生させるなど、報知部６０を動作させ、ユーザに電池パック１０の電力不足を報知する。
【００８８】
次に、電池パック１０が正規の電池パックでないと判断された場合について説明する。
【００８９】
電池パック１０が正規の電池パックでないと判断された場合、認証情報処理部３４は、電源制御部３１および機能制御部３２に電源パック１０（具体的には、セル１）の充電不許可を示す充電不許可情報を出力する。
【００９０】
機能制御部３２は、認証情報処理部３４から充電不許可情報を受け付け、受け付けた充電不許可情報を駆動制御部３７に出力する。
【００９１】
駆動制御部３７は、機能制御部３２から充電不許可情報を受け付けると、報知部６０を動作させ、ユーザに電子機器５０に接続された電池パック１０が正規の電池パックでないことを報知する。
【００９２】
例えば、駆動制御部３７は、発光部４１を発光させる、バイブモータ４２を動作させ電子機器５０を振動させる、スピーカ４３を動作させ警告音を発生させる、あるいは、表示部４４に電池パック１０が正規の電池パックでないことを報知する文字あるいは画像を表示させる。
【００９３】
また、これらの動作が複数用いられても良い。例えば、駆動制御部３７は、発光部４１を発光させると共に、表示部４４に電池パック１０が正規の電池パックでないことを報知する文字あるいは画像を表示させても良い。
【００９４】
電源制御部３１は、認証情報処理部３４から充電不許可情報を受け付けると、電池パック１０に充電器が接続されているか否かを判断する。
【００９５】
充電器が電池パック１０に接続されている場合、電源制御部３１は、充電器からセル１への充電を停止する。
【００９６】
一方、充電器が電池パック１０に接続されていない場合、電源制御部３１は、セル１にて発生される電圧が第二電圧値以上か否かを判断する。
【００９７】
セル１にて発生される電圧が第二電圧値以上であるの場合、電源制御部３１は、電圧正常情報を機能制御部３２に出力する。
【００９８】
機能制御部３２は、電源制御部３１から電圧正常情報を受け付けると、通常表示情報を駆動制御部３７に出力する。
【００９９】
駆動制御部３７は、機能制御部３２から通常表示情報を受け付けると、ユーザにて設定された通常待ち受け画面を表示部４４に表示させる。
【０１００】
なお、その後、充電器が電池パックに接続されても、電源制御部３１は、充電器からセル１への充電を行わない。
【０１０１】
次に動作を説明する。
【０１０２】
図４は、電子機器システムの動作を説明するためのフローチャートである。
【０１０３】
パック側正極端子２１Ａと本体側正極端子２１Ｂ、パック側負極端子２３Ａと本体側負極端子２３Ｂ、および、パック側情報端子２２Ａと本体側情報端子２２Ｂ、が接続される。また、認証制御部７は、パック側信号切換部６を制御し、パック側情報端子を自己（認証制御部７）に接続させる。
【０１０４】
その後、ステップ４０１では、電源制御部３１が、セル１にて発生される電圧が第一電圧値以上か否かを判断する。電源制御部３１は、その電圧が第一電圧値に以上でないとステップ４０２を実行し、一方、その電圧が第一電圧値以上であるとステップ４０４を実行する。
【０１０５】
ステップ４０２では、電源制御部３１は、セル１にて発生される電圧が第一電圧値以上になるまで待機する。具体的には、電池パック１０が充電器に接続されると、セル１にて発生される電圧が第一電圧値以上になるまで充電する。電源制御部３１は、ステップ４０２を終了すると、ステップ４０３を実行する。
【０１０６】
ステップ４０３では、電源制御部３１は、セル１にて発生される電圧が第一電圧値以上になったことを検知する。電源制御部３１は、その電圧が第一電圧値以上になったことを検知すると、ステップ４０４を実行する。
【０１０７】
ステップ４０４では、電源制御部３１は、電池パック１０が電子機器５０に接続されたことを検知し、接続検知情報を認証情報処理部３４に出力する。
【０１０８】
認証情報処理部３４は、電源制御部３１から接続検知情報を受け付けると、本体側信号切換部３６を認証情報処理部３４に接続させる。認証情報処理部３４は、ステップ４０４を終了すると、ステップ４０５を実行する。
【０１０９】
ステップ４０５では、認証情報処理部３４は、識別子取得要求を認証制御部７に出力する。認証情報処理部３４が識別子取得要求を出力すると、認証制御部７は、ステップ４０６を実行する。
【０１１０】
ステップ４０６では、認証制御部７は、認証情報処理部３４から識別子取得要求を受け付けると、保持している識別子を認証情報処理部３４に出力する。認証情報処理部３４は、認証制御部７から識別子を受け付けると、ステップ４０７を実行する。
【０１１１】
ステップ４０７では、認証情報処理部３４は、受け付けた識別子に基づいて、電池パック１０が正規の電池パックか否かを判断する。
【０１１２】
具体的には、認証情報処理部３４は、正規の電池パックを示す識別子を保持し、認証制御部７から受け付けた識別子と、保持している識別子と、が一致しているか否かを判断する。これらの識別子が一致していると、認証情報処理部３４は、電池パック１０が正規の電池パックであると判断する。一方、これらの識別子が一致していないと、認証情報処理部３４は、電池パック１０が正規の電池パックでないと判断する。
【０１１３】
認証情報処理部３４は、電池パック１０が正規の電池パックであるとステップ４０８を実行し、一方、電池パック１０が正規の電池パックでないとステップ４２１を実行する。
【０１１４】
ステップ４０８では、認証情報処理部３４は、認証が完了した旨の認証完了情報を認証制御部７に出力する。認証情報処理部３４は、認証完了情報を出力すると、ステップ４０９を実行する。
【０１１５】
ステップ４０９では、認証情報処理部３４は、セル１の充電許可を示す充電許可情報を電源制御部３１に出力する。認証情報処理部３４が充電許可情報を出力すると、認証制御部７は、ステップ４１０を実行する。
【０１１６】
ステップ４１０では、認証制御部７は、認証情報処理部３４から認証完了情報を受け付けると、パック側信号切換部６を温度センサ部４に接続させる。認証制御部７がステップ４１０を終了すると、認証情報処理部３４は、ステップ４１１を実行する。
【０１１７】
ステップ４１１では、認証情報処理部３４は、本体側信号切換部３６を温度情報処理部３５に接続させる。認証情報処理部３４がステップ４１１を終了すると、電源制御部３１は、ステップ４１２を実行する。
【０１１８】
ステップ４１２では、電源制御部３１は、電池パック１０が充電器と接続されているか否かを判断する。電池パック１０が充電器と接続されていると、温度センサ部４がステップ４１３を実行し、一方、電池パック１０が充電器と接続されていないと、電源制御部３１がステップ４１８を実行する。
【０１１９】
ステップ４１３では、温度センサ部４は、電池パック１０の温度を検知し、検知した温度を示す温度情報を温度情報処理部３５に出力する。温度情報処理部３５は、温度センサ部４から温度情報を受け付けると、ステップ４１４を実行する。
【０１２０】
ステップ４１４では、温度情報処理部３５は、電源制御部３１に温度情報を出力する。
【０１２１】
電源制御部３１は、温度情報処理部３５から温度情報を受け付ける。電源制御部３１は、温度情報を受け付けると、ステップ４１５を実行する。
【０１２２】
ステップ４１５では、電源制御部３１は、温度情報処理部３５から受け付けた温度情報にて示される温度が所定の範囲に含まれるか否かを判断する。セル１は、その温度が所定の範囲に含まれるとステップ４１６を実行し、一方、その温度が所定の範囲に含まれないとステップ４１７を実行する。
【０１２３】
ステップ４１６では、セル１は充電を開始する。
【０１２４】
ステップ４１７では、セル１は充電を停止する。
【０１２５】
ステップ４１８では、電源制御部３１は、セル１にて発生される電圧が第二電圧値以上か否かを判断する。電源制御部３１は、その電圧が第二電圧値以上であるとステップ４１９を実行し、その電圧が第二電圧値以上でないとステップ４２０を実行する。
【０１２６】
ステップ４１９では、電源制御部３１は、セル１にて発生される電圧が第二電圧値以上である旨の電圧正常情報を機能制御部３２に出力する。
【０１２７】
機能制御部３２は、電源制御部３１から電圧正常情報を受け付け、表示部４４にユーザにて設定された待ち受け画面を表示させる旨の通常表示要求を、駆動制御部３７に出力する。
【０１２８】
駆動制御部３７は、機能制御部３２から通常表示要求を受け付けると、ユーザにて設定された待ち受け画面を表示部４４に表示させる。駆動制御部３７が待ち受け画面を表示させると、電源制御部３１は、ステップ４１８を実行する。
【０１２９】
一方、ステップ４２０では、電源制御部３１は、セル１にて発生される電圧が第二電圧値以上でない旨の電圧降下情報を、機能制御部３２に出力する。
【０１３０】
機能制御部３２は、電源制御部３１から電圧降下情報を受け付け、受け付けた電圧降下情報を駆動制御部３７に出力する。
【０１３１】
駆動制御部３７は、機能制御部３２から電圧降下情報を受け付けると、例えば、スピーカ４３に警告音を発生させるなど、報知部６０を動作させ、ユーザに電池パック１０の電力不足を報知する。駆動制御部３７がステップ４２０を終了すると、電源制御部３１は、ステップ４１２を実行する。
【０１３２】
ステップ４２１では、認証情報処理部３４は、電源制御部３１および機能制御部３２にセル１の充電不許可を示す充電不許可情報を出力する。認証情報処理部３４が充電不許可情報を出力すると、機能制御部３２は、ステップ４２２を実行する。
【０１３３】
ステップ４２２では、機能制御部３２は、認証情報処理部３４から充電不許可情報を受け付け、受け付けた充電不許可情報を駆動制御部３７に出力する。
【０１３４】
駆動制御部３７は、機能制御部３２から充電不許可情報を受け付けると、例えば、発光部４１を発光させるなど、報知部６０を動作させ、ユーザに電子機器５０と接続された電池パック１０が正規の電池パックでないことを報知する。駆動制御部３７がステップ４２２を終了すると、電源制御部３１は、ステップ４２３を実行する。
【０１３５】
ステップ４２３では、電源制御部３１は、電池パック１０に充電器が接続されているか否かを判断する。電源制御部３１は、充電器が接続されているとステップ４２４を実行し、一方、充電器が接続されていないとステップ４２５を実行する。
【０１３６】
ステップ４２４では、電源制御部３１は、セル１の充電を停止させる。
【０１３７】
ステップ４２５では、電源制御部３１は、セル１にて発生される電圧が第二電圧値以上か否かを判断する。電源制御部３１は、その電圧が第二電圧値以上であるとステップ４２６を実行し、一方、その電圧が第二電圧値以上でないとステップ４２３を実行する。
【０１３８】
ステップ４２６では、電源制御部３１は、セル１にて発生される電圧が第二電圧値以上である旨の電圧正常情報を機能制御部３２に出力する。
【０１３９】
機能制御部３２は、電源制御部３１から電圧正常情報を受け付けると、通常表示情報を駆動制御部３７に出力する。
【０１４０】
駆動制御部３７は、機能制御部３２から電圧正常情報を受け付けると、ユーザにて設定された通常待ち受け画面を表示部４４に表示させる。
【０１４１】
本実施例によれば、電源制御部３１は、電池パック１０にて発生される電圧が第一電圧値以上でないと、電源制御部３１は、セル１の電圧が第一電圧値に達するまで充電する。
【０１４２】
セル１の電圧が第一電圧値以上になると、認証情報処理部３４は、認証制御部７から出力された識別子に基づいて、電池パック１０が正規の電池パックか否かを判断する。
【０１４３】
電池パック１０が正規の電池パックであると判断された場合、本体側信号切換部３６は、本体側情報端子２２Ｂを温度情報処理部３５に接続する。
【０１４４】
温度情報処理部３５は、温度センサ部４から温度情報を受け付け、受け付けた温度情報を電源制御部３１に出力する。
【０１４５】
電源制御部３１は、温度情報処理部３５から温度情報を受け付け、受け付けた温度情報に基づいて電池パック１０の充電を制御する。
【０１４６】
これにより、電池パック１０にて発生される電圧が第一電圧値未満であると、電圧が第一電圧値に達するまで電池パック１０が充電され、その後、電池パック１０が正規の電池パックであるか否かが判断される。電池パック１０が正規の電池パックであると判断されると、充電が制御される。よって、電池パック１０が正規の電池パックか否かの認証が、認証を行うのに十分な電力が供給された後に行うことができる。したがって、ひとたび電池パック１０の電力が不足しても、その後、動作することが可能になる。
【０１４７】
また、本実施例では、電池パック１０が正規の電池パックでないと判断されると、報知部６０は、ユーザに電池パック１０が正規の電池パックでないことを報知する。
【０１４８】
これにより、ユーザは電池パック１０が正規の電池パックでないことを知ることが可能になる。
【０１４９】
また、本実施例では、電池パック１０が電子機器５０に接続されると、パック側信号切換部６は、パック側情報端子２２Ａを認証制御部７に接続する。
【０１５０】
認証制御部７は、識別子を電子機器５０に出力する。
【０１５１】
認証制御部７にて電池パック１０が正規の電池パックである判断されると、パック側信号切換部６は、パック側情報端子２２Ａを温度センサ部４に接続する。
【０１５２】
温度センサ部４は、温度情報を電子機器５０に出力する。
【０１５３】
これにより、電池パック１０と電子機器５０が接続されると、識別子が出力され、その後、電池パック１０が正規の電池パックであると判断されると、温度情報が出力される。よって、電子機器５０は、温度情報を受け付けると、受け付けた温度情報に基づいて、電池パックの充電を制御するので、電池パック１０が正規の電池パックであると、電池パック１０を充電することが可能になる。
【０１５４】
図２は、本発明の電子機器システムの実施例を示したブロック図である。さらに言えば、図２は、電池パック１０が正規の電池パックではないと、電池パック１０が充電器と接続されているか否かにかかわらず、電子機器５０に供給される電力を停止することが可能な電子機器システムの一例を示したブロック図である。以下では、図１と異なる構成を主に説明する。
【０１５５】
図２において、電子機器システムは、電池パック１０と電子機器５０とを含む。
【０１５６】
電池パック１０は、図１で示した構成と同一である。
【０１５７】
電子機器５０は、図１で示した構成に加え、さらに電源切換部３８を含む。また、本体側認証部３３は、図１で示した構成に加え、さらに本体側タイマー部３９を含む。
【０１５８】
なお、電源制御部３１は、セル１からの電力を電子機器５０内の機器に供給するが、本体側タイマー部３９は、セル１からの電力を独自に受け付ける。
【０１５９】
電源切換部３８は、認証情報処理部３４および本体側タイマー部３９にて制御され、電源制御部３１にセル１からの電力の供給と切断とを切り換える。
【０１６０】
電源切換部３８は、初期状態として、電源制御部３１にセル１からの電源を供給する側に接続されている。
【０１６１】
認証情報処理部３４が電池パック１０を正規の電池パックであると判断すると、電子機器システムは、図１および図２を用いて説明した動作を行う。
【０１６２】
一方、電池パック１０が正規の電池パックでないと判断されると、認証情報処理部３４は、電源制御部３１および機能制御部３２に電源パック１０（具体的には、セル１）の充電不許可を示す充電不許可情報を出力すると共に、電源切換部３８を、電源制御部３１にセル１からの電力を切断する側に切り換える。
【０１６３】
これにより、セル１からの電力が、電子機器５０に供給されることが停止される。
【０１６４】
認証情報処理部３４は、電源切換部３８を電源制御部３１にセル１からの電源を切断する側に切り換えると、本体側タイマー部３９に、所定の時間が経過すると電源切換部３８を電源制御部３１に電力を供給する側に切り換えさせる設定を行う。
【０１６５】
本体側タイマー部３９は、認証情報処理部３４にて設定された所定の時間が経過すると、電源切換部３８を電源制御部３１に電力を供給する側に切り換え、電源制御部３１にセル１から電源を供給する。
【０１６６】
電源制御部３１は、セル１から電力が供給されると、セル１にて発生される電圧が第一電圧値以上か否かを判断する。
【０１６７】
以下、電子機器システムは、図１および図２を用いて説明した動作を行い、認証情報処理部３４は、電池パック１０が正規の電池パックか否かを改めて判断する。
【０１６８】
次に、図５を参照して電子機器システムの動作を説明する。以下では、図４と異なる動作を中心に説明する。なお、図５において、図４に示した処理と同一の処理には同一符号を付してある。
【０１６９】
ステップ４２３では、電源制御部３１は、電池パック１０に充電器が接続されているか否かを判断する。セル１に充電器が接続されていると、電源制御部３１は、ステップ５０１を実行し、一方、充電器が接続されていないと、認証情報処理部３４は、ステップ５０２を実行する。
【０１７０】
ステップ５０１では、電源制御部３１は、セル１の充電を停止させる。電源制御部３１がセル１の充電を停止させると、認証情報処理部３４は、ステップ５０２を実行する。
【０１７１】
ステップ５０２では、認証情報処理部３４は、電源切換部３８を、セル１からの電力を切断する側に切り換える。これにより、セル１からの電力が、電子機器５０に供給されることが停止される。
【０１７２】
認証情報処理部３４は、電源切換部３８を電源制御部３１にセル１からの電力を切断する側に切り換えると、本体側タイマー部３９に、所定の時間が経過すると電源切換部３８を電源制御部３１に電力を供給する側に切り換える設定を行う。認証情報処理部３４がステップ５０２を終了すると、本体側タイマー部３９は、ステップ５０３を実行する。
【０１７３】
ステップ５０３では、本体側タイマー部３９は、認証情報処理部３４にて設定された所定の時間が経過したことを検知する。本体側タイマー部３９は、ステップ５０３を終了すると、ステップ５０４を実行する。
【０１７４】
本体タイマー部３９は、電源切換部３８を電源制御部３１にセル１からの電源を供給する側に接続切り換える。本体側タイマー部３９がステップ５０３を終了すると、電源制御部３１は、ステップ４０１を実行する。
【０１７５】
本実施例によれば、電池パック１０が正規の電池パックでないと、電源切換部３８は、電源制御部３１に対する電力を切断する。その後、所定の時間が経過すると、電源切換部３８は、電源制御部３１に電力を供給する。
【０１７６】
これにより、電池パック１０が正規の電池パックでないと、電子機器５０が使用できなくなる。所定の時間が経過すると、電力が供給されるので、電子機器５０が使用できない状態の間に電池パック１０が正規の電池パックと交換されれば、電子機器５０を使用することが可能になる。
【０１７７】
図３は、本発明の電子機器システムの実施例を示したブロック図である。さらに言えば、図３は、認証情報処理部３４が電池パック１０を正規の電池パックでないと判断した場合、認証情報処理部３４が、電池パック１０の認証を改めて行うことが可能な電子機器システムの一例を示したブロック図である。以下では、図１と異なる構成を中心に説明する。
【０１７８】
図３において、電子機器システムは、電池パック１０と電子機器５０とを含む。
【０１７９】
電池パック１０は、図１で示した構成と同一である。
【０１８０】
電子機器５０では、本体側認証部３３が、図１の構成に加え、リトライ制御部４０をさらに含む。
【０１８１】
認証情報処理部３４は、電池パック１０が正規の電池パックか否かを判断する。
【０１８２】
電池パック１０が正規の電池パックであると判断されると、電子機器システムは、図１および図２を用いて説明した動作を行う。
【０１８３】
一方、電池パック１０が正規の電池パックでないと判断されると、認証情報処理部３４は、電池パック１０が正規の電池パックでないと判断した旨の認証不適合情報をリトライ制御部４０に出力する。
【０１８４】
リトライ制御部４０は、認証情報処理部３４から認証不適合情報を受け付ける。
【０１８５】
また、リトライ制御部４０は、過去に、認証不適合情報を認証情報処理部３４から受け付けた認証不適合回数を保持している。
【０１８６】
リトライ制御部４０は、認証情報処理部３４から認証不適合情報を受け付けると、保持している認証不適合回数に１を加えて、認証不適合回数を更新する。
【０１８７】
リトライ制御部４０は、更新された認証不適合回数が、所定の回数以上か否かを判断する。
【０１８８】
認証不適合回数が所定の回数以上と判断された場合、リトライ制御部４０は、電池パック１０が正規の電池パックか否かの判断を終了する旨の判断終了要求を、認証情報処理部３４に出力する。
【０１８９】
一方、認証不適合回数が所定の回数以上でないと判断された場合、リトライ制御部４０は、電池パック１０が正規の電池パックか否かの判断を改めて行う旨の再判断要求を、認証情報処理部３４に出力する。
【０１９０】
認証情報処理部３４は、リトライ制御部４０から判断終了要求を受け付けると、電源制御部３１および機能制御部３２に充電不許可情報を出力する。
【０１９１】
認証情報処理部３４は、リトライ制御部４０から再判断要求を受け付けると、認証制御部７に識別子取得要求を出力する。
【０１９２】
次に、図８を参照して電子機器システムの動作を説明する。以下では、図４と異なる動作を中心に説明する。なお、図８において、図４に示した処理と同一の処理には同一の符号を付してある。
【０１９３】
ステップ４０７では、認証情報処理部３４は、電池パック１０が正規の電池パックか否かを判断する。認証情報処理部３４は、電池パック１０が正規の電池パックであるとステップ４０８を実行し、一方、電池パック１０が正規の電池パックでないとステップ８０１を実行する。
【０１９４】
ステップ８０１では、認証情報処理部３４は、電池パック１０が正規の電池パックでないと判断した旨の認証不適合情報をリトライ制御部４０に出力する。
【０１９５】
リトライ制御部４０は、認証情報処理部３４から認証不適合情報を受け付けると、保持している認証不適合回数に１を加えて、認証不適合回数を更新する。リトライ制御部４０は、認証不適合回数を更新すると、ステップ８０２を実行する。
【０１９６】
ステップ８０２では、リトライ制御部４０は、更新された認証不適合回数が、所定の回数以上か否かを判断する。リトライ制御部４０は、その認証不適合回数が所定の回数以上であるとステップ８０３を実行し、その認証不適合回数が所定の回数以上でないとステップ８０４を実行する。
【０１９７】
ステップ８０３では、リトライ制御部４０は、電池パック１０が正規の電池パックか否かの判断を終了する旨の判断終了要求を、認証情報処理部３４に出力する。認証情報処理部３４は、リトライ制御部４０から判断終了要求を受け付けると、ステップ４２１を実行する。
【０１９８】
一方、ステップ８０４では、リトライ制御部４０は、電池パック１０が正規の電池パックか否かの判断を改めて行う旨の再判断要求を、認証情報処理部３４に出力する。認証情報処理部３４は、リトライ制御部４０から再判断要求を受け付けると、ステップ４０４を実行する。
【０１９９】
本実施例によれば、リトライ制御部４０は、更新された認証不適合回数が、所定の回数以上か否かを判断する。
【０２００】
その認証不適合回数が所定の回数以上でないと判断された場合、認証情報処理部３４は、認証制御部７に識別子取得要求を出力する。認証情報処理部３４は、認証制御部７から出力された識別子を受け付けると、受け付けた識別子に基づいて、電池パック１０が正規の電池パックか否かを改めて判断する。換言すると、リトライ制御部４０にて更新された認証不適合回数が所定の回数以上でないと判断されると、認証制御部７は、電池パック１０が正規の電池パックか否かを改めて判断する。
【０２０１】
これにより、電池パック１０が正規の電池パックでないと誤って判断された場合でも、認証を正しく行うことが可能になる。
【０２０２】
図６は、認証制御部７が、認証情報処理部３４に識別子を出力した際に、パック側信号切換部６を温度センサ部４側に接続させる動作を説明するためのフローチャートである。なお、図６において、図４に示した処理と同一の処理には同一符号を付してある。以下では、図４と異なる動作を中心に説明する。
【０２０３】
認証制御部７は、ステップ４０６を終了すると、ステップ６０１を実行する。
【０２０４】
ステップ６０１では、認証制御部７は、パック側信号切換部６を温度センサ部４に接続させる。認証制御部７がステップ６０１を終了すると、認証情報処理部３４は、ステップ４０７を実行する。
【０２０５】
ステップ４０７では、認証情報処理部３４は、認証制御部７から識別子を受け付けると、受け付けた識別子に基づいて、電池パック１０が正規の電池パックか否かを判断する。
【０２０６】
認証情報処理部３４は、電池パック１０が正規の電池パックであるとステップ６０２を実行し、一方、電池パック１０が正規の電池パックでないとステップ４２１を実行する。
【０２０７】
ステップ６０２では、認証情報処理部３４が、本体側信号切換部３６を温度情報処理部３５側に接続させる。認証情報処理部３４は、ステップ６０２を終了すると、ステップ６０３を実行する。
【０２０８】
ステップ６０３では、認証情報処理部３４が、電源制御部３１に充電許可情報を出力する。認証情報処理部３４が充電許可情報を出力すると、電源制御部３１は、ステップ４１２を実行する。
【０２０９】
本実施例によれば、認証制御部７が識別子を出力すると、パック側信号切換部６は、本体側情報端子を温度センサ部４に接続させる。
【０２１０】
よって、電子機器５０は、温度情報に基づいて、電池パックの充電を制御するので、電池パックが正規の電池パックであると、電池パックを充電することが可能になる。
【０２１１】
図９は、本発明の電子機器システムの実施例を示したブロック図である。さらに言えば、図９は、認証制御部７が認証情報処理部３４に識別子を送信した際に、所定の時間後にパック側信号切換部６を温度センサ部４側に接続させる設定が可能な電子機器システムの一例を示したブロック図である。以下では、図１と異なる構成を中心に説明する。
【０２１２】
図９において、電子機器システムは、電池パック１０と電子機器５０とを含む。
【０２１３】
電池パック１０では、パック側認証部５が、図１の構成に加え、パック側タイマー部８を含む。
【０２１４】
電子機器５０は、図１で示した構成と同一である。
【０２１５】
認証制御部５は、認証情報処理部３４に識別子を出力すると、パック側タイマー部８に、所定の時間が経過すると、パック側信号切換部６を温度センサ部４に接続させる設定を行う。
【０２１６】
パック側タイマー部８は、認証制御部５にて設定された所定の時間が経過後、パック側信号切換部６を温度センサ部４に接続させる。
【０２１７】
次に、図７を参照して電子機器システムの動作を説明する。以下では、図４と異なる動作を中心に説明する。
【０２１８】
認証情報制御部７は、ステップ４０６を終了すると、ステップ７０１を実行する。
【０２１９】
ステップ７０１では、認証制御部７は、パック側タイマー部８に所定の時間が経過すると、パック側信号切換部６を温度センサ部４に接続させる設定を行う。認証制御部７がステップ７０１を終了すると、認証情報処理部３４は、ステップ４０７を実行する。以下、ステップ４０７、ステップ４０９およびステップ４１１が実行される。
【０２２０】
認証情報処理部３４がステップ４１１を終了すると、パック側タイマー部８は、ステップ７０２を実行する。
【０２２１】
ステップ７０２では、パック側タイマー部８は、認証制御部７にて設定された所定の時間が経過したことを検知する。パック側タイマー部は、ステップ７０２を終了すると、ステップ７０３を実行する。
【０２２２】
ステップ７０３では、パック側タイマー部８は、パック側信号切換部６を温度センサ部４に接続させる。パック側タイマー部８がステップ７０３を終了すると、電源制御部３１は、ステップ４１２を実行する。以下、ステップ４１２からステップ４２０が実行される。
【０２２３】
本実施例によれば、認証制御部５は、認証情報処理部３４に識別子を出力した後、所定の時間が経過すると、パック側信号切換部６は、本体側情報端子２２Ｂを温度センサ部４に接続する。
【０２２４】
識別子が出力した後、すぐに温度情報を出力すると、電子機器５０は、例えば、電池パック１０が正規の電池パックか否かを判断している間など、電池パック１０の充電を温度情報に基づいて制御する前に、温度情報を受け付けることになる。よって、電子機器に余計な負荷がかかる。よって、識別子が出力され、所定の時間が経過した後、温度情報を出力することにより、電子機器にかかる負荷を軽減することが可能になる。
【０２２５】
以上説明した実施例において、図示した構成は単なる一例であって、本発明はその構成に限定されるものではない。
【図面の簡単な説明】
【０２２６】
【図１】本発明の一実施例の電子機器システムを示したブロック図である。
【図２】本発明の他の実施例の電子機器システムを示したブロック図である。
【図３】本発明の他の実施例の電子機器システムを示したブロック図である。
【図４】電子機器システムの動作の一例を説明するためのフローチャートである。
【図５】電子機器システムの他の動作例を説明するためのフローチャートである。
【図６】電子機器システムの他の動作例を説明するためのフローチャートである。
【図７】電子機器システムの他の動作例を説明するためのフローチャートである。
【図８】電子機器システムの他の動作例を説明するためのフローチャートである。
【図９】本発明の他の実施例の電子機器システムを示したブロック図である。
【符号の説明】
【０２２７】
１      セル
２      保護回路
３      充放電切換部
４      温度センサ部
５      パック側認証部
６      パック側信号切換部
７      認証制御部
８      パック側タイマー部
１０    電池パック
２１Ａ  パック側正極端子
２２Ａ  パック側情報端子
２３Ａ  パック側負極端子
２１Ｂ  本体側正極端子
２２Ｂ  本体側情報端子
２３Ｂ  本体側負極端子
３１    電源制御部
３２    機能制御部
３３    本体側認証部
３４    認証情報処理部
３５    温度情報処理部
３６    本体側信号切換部
３７    駆動制御部
３８    電源切換部
３９    本体側タイマー部
４０    リトライ制御部
４１    発光部
４２    バイブモータ
４３    スピーカ
４４    表示部
５０    電子機器
６０    報知部
【図１】
2006339070.tif 000003
【図２】
2006339070.tif 000004
【図３】
2006339070.tif 000005
【図４】
2006339070.tif 000006
【図５】
2006339070.tif 000007
【図６】
2006339070.tif 000008
【図７】
2006339070.tif 000009
【図８】
2006339070.tif 000010
【図９】
2006339070.tif 000011